(57)【特許請求の範囲】
【請求項１】
内部に貯氷室(14)を画成した筐体(12)と、前記筐体(12)の前面開放部(12A)に配設されて、裏側が前記貯氷室(14)の一部をなす扉ユニット(30)と、前記扉ユニット(30)に開設した矩形開口部(34)の上下に設けたレール部(52A,52B)により支持され、左右に移動して該矩形開口部(34)を開閉するスライド扉(64,64)と、前記矩形開口部(34)における前記下レール部(52B)の後方に設けられ、前記貯氷室(14)に向けて斜め下方に傾斜するスロープ(68)とを備える貯氷庫において、
前記下レール部(52B)の後方でかつ前記スロープ(68)の下方に、前記貯氷室(14)に向けて斜め下方に傾斜する庇部(42)を設けると共に、
前記スロープ(68)と前記庇部(42)との間には、前記下レール部(52B)に溜まった結露水が該庇部(42)を伝って前記貯氷室(14)へ落下するのを許容する隙間(S)を形成した
ことを特徴とする貯氷庫。
【請求項２】
前記庇部(42)は、前記扉ユニット(30)の裏面を構成する裏板(40)に一体的に形成される請求項１記載の貯氷庫。
【請求項３】
前記下レール部(52B)の直立面と前記スロープ(68)の端縁との間に、該下レール部(52B)に溜まった結露水を受け入れる通路(84)を形成し、該結露水を該通路(84)に沿って前記隙間(S)へ案内するよう構成された請求項１または２記載の貯氷庫。
【請求項４】
前記スロープ(68)の前記通路(84)に臨む端縁には、前記通路(84)に達した結露水を前記隙間(S)へ案内する切欠き(92)を形成した請求項３記載の貯氷庫。
【請求項５】
前記スロープ(68)の左右両端は、前記矩形開口部(34)の左右側縁(36C,36D)に対し内側へ離間して位置し、
前記扉ユニット(30)の裏面に、前記矩形開口部(34)の下縁(36B)の左右端部から上方へ突出して、該下縁(36B)の左右端部に達した結露水を内側へ案内する堰部(44)を左右に形成した請求項１〜４の何れか一項に記載の貯氷庫。
【請求項６】
結露水は、前記スロープ(68)と前記堰部(44)との間を通過して前記隙間(S)へ案内される請求項５記載の貯氷庫。
【発明の詳細な説明】
【技術分野】
【０００１】
本発明は、貯氷室に臨む開口部を開閉するスライド扉を設けた貯氷庫に関し、殊に、該スライド扉での結露水を好適に放出する構造に関するものである。
【背景技術】
【０００２】
喫茶店やレストラン等では、製氷機構で製造された所要形状の氷を貯氷室に貯留する貯氷庫が広く使用されている。この貯氷庫の一種として、貯氷室に連通する開口部をスライド扉で開閉するタイプが存在する(例えば、特許文献１参照)。図７〜図１０は、スライド扉６４,６４を備える従来の貯氷庫１０を示している。貯氷庫１０は、図７に示す如く、前方および上方に開放する断熱構造の筐体１２からなり、該筐体１２の内部に貯氷室１４が画成されている。この貯氷室１４の内部上方には、氷を連続的に製造する製氷機構１６が配設されている。また、前記筐体１２の貯氷室１４に対応する前面開放部１２Ａには、扉ユニット３０が着脱自在に配設されている。
【０００３】
前記筐体１２の前面開放部１２Ａの下縁は、図９に示す如く、貯氷室１４の底部から所定高さで立ち上がる土手部２２によって形成されている。この土手部２２は、前面に扉ユニット３０の裏面下部が当接すると共に、貯氷室１４側の面は、後方へ向かうにつれて下方へ傾斜するようになっている。また、前記筐体１２の上面には、該筐体１２の上方開口を塞ぐ天板２０が着脱自在に配設される。図７に示すように、貯氷庫１０における貯氷室１４の下方には機械室１８が画成され、該機械室１８に凝縮器、圧縮機、ファンモータ等の冷凍機器(何れも図示せず)が配設される。そして貯氷庫１０は、前記製氷機構１６の蒸発器に冷媒を循環させて氷を製造し、該氷を貯氷室１４に落下させて貯留するよう構成される。
【０００４】
図８に示すように、前記扉ユニット３０は、矩形の開口部３４を開設した扉本体３２と、前記矩形開口部３４に配設されるスライドレール４６と、該スライドレール４６にスライド移動可能に支持される２枚のスライド扉６４,６４と、前記矩形開口部３４に配設されて前記貯氷室１４に向けて斜めに傾斜するスロープ６８とを備えている。前記扉本体３２は、金属製の扉フロントパネル３８と、合成樹脂製の扉バックパネル４０とを前後に組付けて構成され、両パネル３８,４０の間に断熱材４１(図９参照)が充填されている。前記スライド扉６４,６４は、例えば透明な合成樹脂からなり、前記矩形開口部３４に応じた矩形状に形成される。なお、スライド扉６４,６４には、作業者が開閉するための取っ手６６が配設されている。
【０００５】
図８および図９に示すように、前記スライドレール４６は、上枠４８Ａ、下枠４８Ｂ、左枠４８Ｃおよび右枠４８Ｄを相互に連結して矩形枠状に形成される。前記矩形開口部３４の上下に設けられる前記上枠４８Ａおよび下枠４８Ｂには、該矩形開口部３４の内側(他方の枠側)へ突出すると共に、該矩形開口部３４の対応する開口上縁３６Ａおよび開口下縁３６Ｂに沿って左右方向に延在する仕切り５０,５０,５０が、前後方向に離間して３つ設けられている。前記上枠４８Ａには、３つの前記仕切り５０,５０,５０により、前後に２つの上溝５４Ａ,５４Ａが形成された上レール部５２Ａが構成されている。また、下枠４８Ｂには、３つの前記仕切り５０,５０,５０により、前後に２つの下溝５４Ｂ,５４Ｂが形成された下レール部５２Ｂが構成されている。前記スライド扉６４は、上レール部５２Ａの上溝５４Ａ,５４Ａに上端部が遊嵌されると共に、下レール部５２Ｂの下溝５４Ｂ,５４Ｂに下端部が遊嵌されて、左右にスライド自在になっている。
【０００６】
前記下レール部５２Ｂに形成された下溝５４Ｂ,５４Ｂには、スライド扉６４,６４を該下溝５４Ｂ,５４Ｂの底部から離間した位置に保持するスペーサ５６(図９参照)が部分的に配設されている。前記スペーサ５６の厚みは、下溝５４Ｂの深さより小さくなるよう設定されている。また、下レール部５２Ｂを構成する後側の２つの仕切り５０,５０には、前後方向に貫通する排水孔６２が左右方向に離間して複数開設されている。この排水孔６２は、前記仕切り５０の下側で前記スペーサ５６と干渉しない位置に設定され、スライド扉６４やスペーサ５６によって該排水孔６２が閉成されないようになっている。なお、前記２つの仕切り５０,５０に開設された排水孔６２は、前後に整列して配置されている。
【０００７】
図８および図９に示すように、前記スライドレール４６を構成する左枠４８Ｃおよび右枠４８Ｄには、前記矩形開口部３４の内側(他方の枠側)へ突出すると共に、該矩形開口部３４の対応する左右の開口側縁３６Ｃ,３６Ｄに沿って上下方向に延在する仕切り５１,５１,５１が、前後方向に離間して３つ設けられている。そして、左枠４８Ｃおよび右枠３８Ｄの３つの仕切り５１,５１,５１により前後に２つの溝５５,５５が形成されている。左枠４８Ｃおよび右枠４８Ｄに夫々形成された溝５５,５５は、スライド扉６４,６４の対応の側端部が挿入され、スライド扉６４,６４で矩形開口部３４を閉成した際の密封性を確保するべく機能する。なお、貯氷室１４からの氷の取り出しは、スライド扉６４をスライドさせて開放した前記矩形開口部３４を介して行われる。
【０００８】
スライドレール４６を構成する各枠４８Ａ,４８Ｂ,４８Ｃ,４８Ｄには、最後部の仕切り５０ａ,５１ａから後方へ所定長さで延出する延出部５８が形成されている。また、各枠４８Ａ,４８Ｂ,４８Ｃ,４８Ｄにおける最前部の仕切り５０ｂ,５１ｂには、対向する枠４８Ｂ,４８Ａ,４８Ｄ,４８Ｃと反対側(矩形開口部３４の外側)へ突出するフランジ部６０が形成されている。スライドレール４６は、前記矩形開口部３４に対して前側から挿入し、各枠４８Ａ,４８Ｂ,４８Ｃ,４８Ｄのフランジ部６０を前記扉フロントパネル３８に当接させると共に、上枠４８Ａ、左枠４８Ｃおよび右枠４８Ｄの延出部５８を矩形開口部３４の対応の開口縁３６Ａ,３６Ｃ,３６Ｄに当接させて位置決めされる。なお、下枠４８Ｂの延出部５８Ｂと、前記扉本体３２の開口下縁３６Ｂとの間には、後述するスロープ６８の水平部７０を挿入する隙間が形成される。そして、スライドレール４６は、各延出部５８に開設された通孔５８ａを介して、ネジ５９を扉本体３２の開口縁３６に設けたネジ孔３６ａに螺挿することで、扉本体３２に固定される。
【０００９】
図８〜図１０に示すように、前記スロープ６８は、前記矩形開口部３４の開口下縁３６Ｂにおいて、前記下レール部５２Ｂの後方に設けられている。スロープ６８は、前記下枠４８Ｂの延出部５８Ｂに沿って水平に延在する水平部７０と、該水平部７０の後端から貯氷室１４に向けて斜め下方に傾斜する傾斜部７２とを備えている。前記傾斜部７２は、前記土手部２２の頂部２２ａよりも貯氷室１４側まで延出すると共に、下面が該土手部２２の貯氷室１４側の面に当接する。また、前記傾斜部７２には、左右の両端から立ち上がる側壁部７４,７４が形成されている。スロープ６８は、前述の如くスライドレール４６を位置決めした後、下枠４８Ｂの延出部５８Ｂと矩形開口部３４の開口下縁３６Ｂとの間に水平部７０の前端部を挿入し、延出部５８Ｂの前記通孔５８ａと該通孔５８ａに対応して水平部７０に開設した挿通孔７０ａとに挿入したネジ５９を、開口下縁３６Ｂの対応する前記ネジ孔３６ａに螺挿することで、スライドレール４６と共に扉本体３２に固定される。
【００１０】
前記スライド扉６４は、断熱材４１が配設された扉ユニット３０の他の部分に比べて断熱性能が低く、貯氷室１４の冷たい空気との接触により冷却され易い。このため、スライド扉６４の外面と庫外の空気との温度差が大きくなると、スライド扉６４の外面には、空気中の水蒸気が凝縮して結露を生ずる。図９に示すように、スライド扉６４に生じた結露は、凝結すると水滴になって重力で該スライド扉６４に沿って流下し、下レール部５２Ｂに溜まる。下レール部５２Ｂに溜まった結露水は、該下レール部５２Ｂに形成した前記排水孔６２を通り後方へ流下する。そして、下枠４８Ｂの延出部５８Ｂからスロープ６８に達した結露水は、スロープ６８の傾斜部７２の上面に沿って流下して貯氷室１４内へ案内される。このように、貯氷庫１０では、下レール部５２Ｂに溜まった結露水をスロープ６８上に案内することで、結露水が矩形開口部３４の開口下縁３６Ｂから扉バックパネル４０の裏面を伝って庫外へ漏出するのを防いでいる。なお、貯氷室１４に流下した結露水は、貯氷室１４の底部に設けた図示しない排水口を介して庫外へ排出される。
【先行技術文献】
【特許文献】
【００１１】
【特許文献１】実開平６−５１７６６号公報
【発明の概要】
【発明が解決しようとする課題】
【００１２】
前述したように、前記製氷機構１６で製造された氷は前記貯氷室１４に落下して該貯氷室１４に貯留されるが、氷の貯留が進行するにつれて、図９に示す如く前記スロープ６８に接触して堆積される。この場合に、前記スロープ６８の上面を結露水が流れる従来の構成では、該スロープ６８上の氷に、結露水が接触して融かされてしまう。殊に、スライド扉６４に接触する庫外の空気と貯氷室１４の温度との差が大きい夏場には、結露水が多く発生するために、前記スロープ６８上の氷の融解が促進される問題がある。
【００１３】
本発明は、従来技術に内在する前記諸問題に鑑み、これらを好適に解決するべく提案されたものであって、スライド扉からの結露水がスロープ上を流れるのを防止し、結果として該スロープ上の氷が結露水により融解されないようにした貯氷庫を提供することを目的とする。
【課題を解決するための手段】
【００１４】
前記課題を克服し、所期の目的を達成するため、請求項１の発明に係る貯氷庫は、
内部に貯氷室を画成した筐体と、前記筐体の前面開放部に配設されて、裏側が前記貯氷室の一部をなす扉ユニットと、前記扉ユニットに開設した矩形開口部の上下に設けたレール部により支持され、左右に移動して該矩形開口部を開閉するスライド扉と、前記矩形開口部における前記下レール部の後方に設けられ、前記貯氷室に向けて斜め下方に傾斜するスロープとを備える貯氷庫において、
前記下レール部の後方でかつ前記スロープの下方に、前記貯氷室に向けて斜め下方に傾斜する庇部を設けると共に、
前記スロープと前記庇部との間には、前記下レール部に溜まった結露水が該庇部を伝って前記貯氷室へ落下するのを許容する隙間を形成したことを要旨とする。
【００１５】
請求項１に係る発明によれば、スロープの下方に貯氷室へ向けて下方傾斜する庇部を設け、該庇部とスロープとの間に、結露水が該庇部を伝って貯氷室へ落下するのを許容する隙間を形成したので、下レール部に溜まった結露水がスロープの下側を通る。すなわち、スロープに堆積された氷に結露水が接触しないので、該スロープ上にある氷の融解を抑制できる。
【００１６】
請求項２に係る発明は、前記庇部は、前記扉ユニットの裏面を構成する裏板に一体的に形成されることを要旨とする。
請求項２に係る発明によれば、扉ユニットの裏板に庇部を設け、該庇部とスロープとの間に前記隙間を形成したので、結露水を排水させる専用の別部材を用いる必要がない。すなわち、部品点数の増加によるコストアップを抑制できる。
【００１７】
請求項３に係る発明は、前記下レール部の直立面と前記スロープの端縁との間に、該下レール部に溜まった結露水を受け入れる通路を形成し、該結露水を該通路に沿って前記隙間へ案内するよう構成されたことを要旨とする。
請求項３に係る発明によれば、下レール部に溜まった結露水は、下レール部とスロープとの間に設けた通路に受け入れられて、該通路に沿って前記隙間へ案内される。すなわち、結露水をスロープの下側へ確実に案内できるので、スロープ上の氷の融解をより抑制できる。
【００１８】
請求項４に係る発明は、前記スロープの前記通路に臨む端縁には、前記通路に達した結露水を前記隙間へ案内する切欠きを形成したことを要旨とする。
請求項４に係る発明によれば、前記通路に達した結露水を、スロープの端縁に設けた切欠きから前記通路へ確実に案内できる。
【００１９】
請求項５に係る発明は、前記スロープの左右両端は、前記矩形開口部の左右側縁に対し内側へ離間して位置し、
前記扉ユニットの裏面に、前記矩形開口部の下縁の左右端部から上方へ突出して、該下縁の左右端部に達した結露水を内側へ案内する堰部を左右に形成したことを要旨とする。
請求項５に係る発明によれば、矩形開口部の下縁の左右端部に達した結露水は、堰部により内側へ案内される。すなわち、結露水が、矩形開口部の下縁の左右端部から扉ユニットの裏面に伝わって庫外へ漏出するのを防ぐことができる。
【００２０】
請求項６に係る発明は、結露水は、前記スロープと前記堰部との間を通過して前記隙間へ案内されることを要旨とする。
請求項６に係る発明によれば、結露水を堰部とスロープとの間を通して前記隙間へ案内できる。
【発明の効果】
【００２１】
本発明に係る貯氷庫によれば、結露水がスロープ上を流れないため、該スロープ上に堆積する氷の融解を抑制できる。
【図面の簡単な説明】
【００２２】
【図１】(ａ)は、実施例１に係る貯氷庫の扉ユニットを後方から見た斜視図であって、(ｂ)は(ａ)に示す円Ｘの拡大図である。
【図２】(ａ)は、実施例１に係る貯氷庫を、図１のＩＩ−ＩＩ線の位置で破断した概略断面図であって、(ｂ)は(ａ)に示す円Ｙの拡大図である。
【図３】図１に示す扉バックパネルを後方から見た斜視図である。
【図４】図１に示すスライドレールの下枠を後方から見た斜視図である。
【図５】実施例１の貯氷庫における結露水の排水状態を、貯氷庫の内方から観察した説明図である。
【図６】実施例２の貯氷庫における結露水の排水状態を、貯氷庫の内方から観察した説明図である。
【図７】従来例に係る貯氷庫を一部分解して示す斜視図である。
【図８】図７に示す扉ユニットの構成部材を分解して示す斜視図である。
【図９】図７に示す貯氷庫における上部前方概略縦断面図である。
【図１０】図７に示す貯氷庫の扉ユニットを後方から見た部分斜視図である。
【発明を実施するための形態】
【００２３】
次に、本発明に係る貯氷庫につき、好適な実施例を挙げて、添付図面を参照して説明する。従来例の貯氷庫は、下レール部に溜まった結露水をスロープの上面を伝わせて貯氷室へ案内する構成であった。これに対し、実施例の貯氷庫は、前記スロープ上を伝わらせることなく結露水を貯氷室へ案内する構成とした点で従来例と異なっている。なお、従来技術で説明した部材については、同じ符号を付して説明を省略する。
【実施例】
【００２４】
〔実施例１〕
図１〜図５に示す実施例１の貯氷庫８０は、従来例で説明した貯氷庫１０と同様に、内部に貯氷室１４を画成した筐体１２と、前記筐体１２の前面開放部１２Ａに配設される扉ユニット３０と、前記扉ユニット３０に開設した矩形開口部３４を開閉するスライド扉６４,６４と、前記矩形開口部３４に設けられ、前記貯氷室１４に向けて斜め下方に傾斜するスロープ６８とを備えている。なお、実施例１の貯氷庫８０において、扉ユニット３０を除いた基本的な構成は、従来例の貯氷庫１０と同じである。
【００２５】
図１に示すように、実施例１の扉ユニット３０は、従来例と同様に、扉フロントパネル３８および扉バックパネル４０を前後に組付けて構成され、矩形開口部３４を開設した扉本体３２と、前記矩形開口部３４に配設されるスライドレール４６と、該スライドレール４６にスライド移動可能に支持される２枚のスライド扉６４,６４と、前記矩形開口部３４に配設されるスロープ６８とを備えている。扉ユニット３０については、従来例と異なる構成を中心に説明する。
【００２６】
(スロープについて)
図１および図２に示すように、前記スロープ６８は、前記矩形開口部３４に位置してスライド扉６４,６４の下端部を支持する下レール部５２Ｂの後方に設けられている。すなわち、スロープ６８は、図２(ｂ)から判明するように、前記スライドレール４６における下枠４８Ｂの延出部５８Ｂに沿って横方向へ延在し、該延出部５８Ｂに載置される水平部７０と、該水平部７０から貯氷室１４に向けて斜め下方に傾斜する傾斜部７２とを備えると共に、前記矩形開口部３４の左右開口幅より小さい左右幅寸法に設定されている。なお、前記水平部７０の前方開放端は、下レール部５２Ｂに設けた３条の前記仕切り５０,５０,５０のうち、最後部の仕切り５０ａとの間に所要の隙間を保持している。また、前記水平部７０には、図４に示す下枠４８Ｂの延出部５８Ｂに形成される通孔５８ａと対応する位置に、図５に示す如くネジ５９を挿入するための挿通孔７０ａが開設されている。また、前記傾斜部７２は、前記筐体１２の前面開放部１２Ａ下縁に位置する前記土手部２２の頂部２２ａより貯氷室１４側へ延在すると共に、該土手部２２から離間して配置される。そして、前記製氷機構１６から放出され、貯氷の進行に伴い堆積した氷は前記スロープ６８の傾斜部７２にも堆積するに至る。
【００２７】
図２を参照して、前記扉本体３２に対するスロープ６８の固定について説明する。先ず、前記スライドレール４６を扉本体３２の矩形開口部３４に対して前側から嵌挿して位置決めする。この際、スライドレール４６は、該スライドレール４６を構成する各枠４６Ａ,４６Ｂ,４６Ｃ,４６Ｄのフランジ部６０が扉フロントパネル３８に当接すると共に、各枠４６Ａ,４６Ｂ,４６Ｃ,４６Ｄの延出部５８が矩形開口部３４の対応の開口縁３６Ａ,３６Ｂ,３６Ｃ,３６Ｄに当接する。次に、スライドレール４６における下枠４８Ｂの延出部５８Ｂに前記スロープ６８の水平部７０を重ね、該水平部７０の挿通孔７０ａ(図５参照)および延出部５８Ｂの通孔５８ａ(図４参照)にネジ５９を挿通して、矩形開口部３４の開口下縁３６Ｂに設けたネジ孔３６ａ(図３参照)に螺挿することで、スロープ６８がスライドレール４６と共に扉本体３２に固定される。
【００２８】
(第１受入通路について)
図１および図５に示すように、下レール部５２Ｂに形成した３条の仕切り５０,５０,５０の内で最も貯氷室１４側に位置する仕切り５０ａ(下レール部５２Ｂの鉛直面)と、前記スロープ６８における水平部７０の前端縁７０ｂ(スロープ６８の端縁)との間には、下レール部５２Ｂに溜まった結露水を受け入れる第１受入通路(通路)８４が形成されている。すなわち、第１受入通路８４は、下レール部５２Ｂにおける最後部の仕切り５０ａの後面と、下枠４８Ｂの延出部５８Ｂの上面と、前記スロープ６８の水平部７０の前端縁７０ｂとにより溝状の上方開放部になっている。この第１受入通路８４は、前記最後部の仕切り５０ａに開設した前記排水孔６２を介して、下レール部５２Ｂの前記下溝５４Ｂに連通している。また、第１受入通路８４における前後の幅および深さは、該第１受入通路８４に流下した結露水が、左右に移動し得る寸法に設定されている。そして、前記下レール部５２Ｂの下溝５４Ｂから排水孔６２を通って第１受入通路８４に流下した結露水は、該第１受入通路８４に沿って左右へ移動可能である。
【００２９】
(第２受入通路について)
図１および図５に示すように、前記水平部７０における左右の側端縁７０ｃ,７０ｃ(スロープ６８の左右両端)は、前記矩形開口部３４における左右の開口側縁３６Ｃ,３６Ｄ(矩形開口部３４の左右側縁)よりも内側へ離間して配置されている。また、前記水平部７０の左右の側端縁７０ｃ,７０ｃと矩形開口部３４の左右の開口側縁３６Ｃ,３６Ｄとの間には、結露水が後方へ移動するのを許容する第２受入通路８６が夫々形成されている。この第２受入通路８６は、前端部において前記第１受入通路８４の左右端部に連通し、該第１受入通路８４の左右端部付近に到達した結露水は、スロープ６８の端縁７０ｂ,７０ｃに沿って第２受入通路８６へ自然に案内されるようになっている。第２受入通路８６の左右の幅および深さは、前記水平部７０の側端縁７０ｃ,７０ｃを伝って、結露水が後方へ移動するのを許容する寸法に設定されている。
【００３０】
(庇部について)
図３に示すように、前記扉ユニット３０の裏面を構成し、該扉ユニット３０取付後は前記貯氷室１４の一部になる前記扉バックパネル４０には、前記矩形開口部３４の開口下縁３６Ｂから貯氷室１４へ向けて斜め下方に傾斜する庇部４２が一体的に形成されている。この庇部４２は、図１に示すように、矩形開口部３４の全幅に亘って延在し、前記スロープ６８の幅よりも左右外側へ延出するよう寸法設定されている。また、図２(ｂ)に示す如く、前記庇部４２が貯氷室１４側へ延出する端部４２ａは、前面開放部１２Ａの下縁を構成する前記土手部２２の頂部２２ａより奥へ延出している。更に、庇部４２は、前記スロープ６８の下方に位置すると共に、その上端から前記延出端部４２ａに亘って該スロープ６８の下面に当接しないようになっている。すなわち、庇部４２の上面とスロープ６８の下面との間には、下レール部５２Ｂからの結露水が該庇部４２を伝って貯氷室１４へ落下するのを許容する隙間Ｓが設定されている。このため庇部４２の上端に達した結露水は、庇部４２の傾斜に沿って斜め下方へ流下し、延出端部４２ａで貯氷室１４へ落下する。すなわち、前記隙間Ｓは、結露水をスロープ６８の下側を通過させて貯氷室１４へ案内する排水通路８２を形成している。
【００３１】
(堰部について)
図３に示すように、前記扉バックパネル４０の矩形開口部３４には、前記開口下縁３６Ｂの左右端部から上方へ突出する堰部４４が一体的に形成されている。特に図１(ｂ)および図５から判明するように、各堰部４４は、前記下枠４８Ｂにおける延出部５８Ｂの左右端部に後方から当接すると共に、該延出部５８Ｂより上方まで延在し、その外側端は矩形開口部３４における対応の開口側縁３６Ｃ,３６Ｄに当接している。そして前記堰部４４は、前記第２受入通路８６において左右の外側端部に及んでいる結露水を、該堰部４４の左右内側へ案内するようになっている(図１(ｂ)の矢印参照)。すなわち、第２受入通路８６へ到達した結露水は、前記堰部４４の存在により、前記開口下縁３６Ｂの左右端部から前記矩形開口部３４の外側への流出が防止される。
【００３２】
更に、図１、図３および図５に示すように、前記堰部４４は前記庇部４２の上端から上方へ突出するよう扉バックパネル４０に形成されており、該堰部４４と前記スロープ６８における左右の側端縁７０ｃ,７０ｃとの間には、結露水の通過を許容する通過口８８が夫々形成されている。この通過口８８は、前記第２受入通路８６と前記排水通路８２とを空間的に連通し、該第２受入通路８６の後端部に達した結露水を通過させて排水通路８２へ導くようになっている。
【００３３】
〔実施例１の作用〕
次に、実施例１の貯氷庫８０の作用について説明する。先ず、図５を参照してスライド扉６４,６４に発生した結露水の流れについて説明する。スライド扉６４,６４に沿って流下して下レール部５２Ｂの下溝５４Ｂに溜まった結露水は、前記最後部の仕切り５０ａに開設された排水孔６２を通って、該仕切り５０ａとスロープ６８の前端縁７０ｂとの間に設けられた前記第１受入通路８４に流下する。この第１受入通路８４に沿って左右に案内されて該第１受入通路８４の左右端部に達した結露水は、スロープ６８の前端縁７０ｂおよび側端縁７０ｃに沿って前記第２受入通路８６に受け入れられる。そして、第２受入通路８６を該通路８６に沿って後方へ流下した結露水は、前記堰部４４とスロープ６８との間に設けた前記通過口８８を通過して、前記排水通路８２へ案内される。この排水通路８２に達した結露水は、前記庇部４２の上端から該庇部４２の上面に沿って斜め下方へ流下する。庇部４２の延出端部４２ａまで達した結露水は、前記土手部２２の貯氷室１４側の面に落下して、貯氷室１４の底部に設けた排水口からドレンパイプ(いづれも図示せず)を介して庫外へ排出される。なお、庇部４２は土手部２２の頂部２２ａより後方まで延出しているので、庇部４２の延出端部４２ａから落下した結露水が、前記筐体１２における前面開放部１２Ａの下縁から庫外へ漏出することはない。
【００３４】
すなわち、スロープ６８の下方に、矩形開口部３４における開口下縁３６Ｂから貯氷室１４へ向けて斜め下方へ傾斜する庇部４２を設け、該庇部４２とスロープ６８との間に形成した排水通路８２に下レール部５２Ｂに溜まった結露水を案内するようにしたので、該結露水がスロープ６８の下側を通る。従って、スロープ６８に堆積した氷に結露水が掛からないので、該氷の融解を抑制できる。また、扉バックパネル４０に庇部４２を一体的に形成し、該庇部４２とスロープ６８とにより前記排水通路８２を形成したので、下レール部５２Ｂに溜まった結露水を排水するために専用の別部材を用いる必要がなく、部品点数の増加に伴うコストアップを生じない。
【００３５】
また、スロープ６８の前端縁７０ｂと最後部の仕切り５０ａとの間に、下レール部５２Ｂに溜まった結露水を受け入れる前記第１受入通路８４を設けたので、下レール部５２Ｂに溜まった結露水を第１受入通路８４に沿って円滑に案内できる。更に、第１受入通路８４の左右端部に連通し、スロープ６８の側端縁７０ｃに沿って延在する第２受入通路８６を設けたので、第１受入通路８４の左右端部に到達した結露水を、第２受入通路８６に沿って円滑に案内できる。そして、第２受入通路８６の結露水を、スロープ６８の側端縁７０ｃに沿って通過口８８から排水通路８２へ案内するよう構成したので、第２受入通路８６の結露水を自然に排水通路８２まで導くことができる。すなわち、下レール部５２Ｂに溜まった結露水を、スロープ６８の端縁７０ｂ,７０ｃに沿わせて第１受入通路８４、第２受入通路８６および通過口８８を通過させて、排水通路８２まで確実に案内できる。このように、下レール部５２Ｂに溜まった結露水が、スロープ６８上を流れるのは防止される。
【００３６】
ここで、図１０に示すように、従来の貯氷庫１０では、矩形開口部３４における開口下縁３６Ｂの左右端部に達した結露水が、該矩形開口部３４の外側へ流出する問題がある。この矩形開口部３４の外側へ流出した結露水は、扉バックパネル４０におけるスロープ６８と貯氷室１４の内側壁(図１０に２点鎖線で示す)との間を伝って庫外へ漏出してしまう(図１０の矢印参照)。これに対して、実施例１の貯氷庫８０では、図１(ｂ)に示すように、矩形開口部３４における開口下縁３６Ｂの左右端部に堰部４４を設けたことで、前記第２受入通路８６において左右の外側端部を後方へ流下する結露水が、該堰部４４に沿って左右の内側へ案内される。この堰部４４によって内側へ案内された結露水は、該堰部４４とスロープ６８との間に設けた前記通過口８８を通って前記排水通路８２へ流下する。すなわち、堰部４４を設けたことで、矩形開口部３４における開口下縁３６Ｂの左右端部に達した結露水が、該矩形開口部３４の外側へ流出するのを防ぐことができる。
【００３７】
〔実施例２〕
次に、図６を参照して第２実施例について説明する。図５に示す如く、前述の実施例１に係る貯氷庫８０は、前記堰部４４とスロープ６８との間の通過口８８を通して結露水を排水通路８２へ案内する構成であった。これに対して、図６に示す実施例２に係る貯氷庫９０は、スロープ６８に形成した切欠き９２からも結露水を排水通路８２へ案内する構成である。なお、実施例２の貯氷庫９０において、従来例および実施例１と同じ部材については同じ符号を付すものとする。
【００３８】
図６に示すように、実施例２では、スロープ６８における第１受入通路８４に臨む前端縁(端縁)７０ｂに、該第１受入通路８４内の結露水を排水通路８２へ案内する切欠き９２が形成されている。切欠き９２は、スロープ６８の前端縁７０ｂから、矩形開口部３４において前記庇部４２の上端が位置する開口下縁３６Ｂより後方まで形成されている。なお、貯氷庫９０は、実施例１と同様に、堰部４４とスロープ６８の側端縁７０ｃとの間に設けた通過口８８からも結露水を排水通路８２へ案内し得るようになっている。
【００３９】
〔実施例２の作用〕
前記第１受入通路８４の結露水は、スロープ６８の前端縁７０ｂに沿って切欠き９２に侵入し、該切欠き９２に沿って下枠４８Ｂにおける延出部５８Ｂの上面を後方へ流下する。そして、前記延出部５８Ｂの後端から前記庇部４２の上端に達した結露水は、該庇部４２の上面に沿って貯氷室１４内へ向けて斜め下方へ流下する。実施例１と同様に、庇部４２の延出端部４２ａに達した結露水は、土手部２２の貯氷室１４側の面に滴下され、貯氷室１４の底部に設けた排水口から庫外へ排出される。このように、実施例２では、スロープ６８の前端縁７０ｂに設けた切欠き９２から結露水を排水通路８２へ案内することで、結露水を確実に排水通路８２へ導くことができる。また、切欠き９２は、スロープ６８の前端縁７０ｂの任意の位置に複数設定できるので、複数の切欠き９２により結露水を複数の経路に分散して排水することもできる。
【００４０】
〔変更例〕
本発明に係る貯氷庫は前述した構成に限定されるものでなく、例えば以下のように変更することが可能である。
(1) 実施例では、製氷機構を内部に備える貯氷庫を例に挙げて説明したが、製氷機構のない貯氷庫であってもよい。
(2) 実施例では、庇部を扉バックパネルに一体に形成する例を挙げて説明したが、庇部を扉バックパネルとは別の部材に形成してもよい。また、実施例では、庇部を矩形開口部における左右の開口幅の全長に亘って形成したが、結露水が流下する範囲にのみ形成してもよい。
(3) 実施例では、矩形開口部の左右端部に堰部を設けた構成を採用したが、堰部のない構成であってもよい。
(4) 実施例２では、スロープの側端縁に沿った経路と、切欠きを介した経路とにより結露水を排水通路へ案内したが、何れか一方の経路により結露水を排水通路へ案内する構成であってもよい。また、切欠きの形状は、実施例の形状に限定されることはなく、例えば、Ｖ字形状やＵ字形状等でもよい。
【符号の説明】
【００４１】
１２ 筐体，１２Ａ 前面開放部，１４ 貯氷室，３０ 扉ユニット，３４矩形開口部，
３６Ｂ 開口下縁(下縁)，３６Ｃ 左開口側縁(左側縁)，３６Ｄ 右開口側縁(右側縁)，
４０ 扉バックパネル(裏板)，４２ 庇部，４４ 堰部，５２Ａ 上レール部(レール部)，
５２Ａ 上レール部(レール部)，５２Ｂ 下レール部(レール部)，６４ スライド扉，
６８ スロープ，８０ 貯氷庫，８４ 第１受入通路(通路)，９０ 貯氷庫，
９２ 切欠き，Ｓ 隙間
【図１】
0006341846.tif 000002
【図２】
0006341846.tif 000003
【図３】
0006341846.tif 000004
【図４】
0006341846.tif 000005
【図５】
0006341846.tif 000006
【図６】
0006341846.tif 000007
【図７】
0006341846.tif 000008
【図８】
0006341846.tif 000009
【図９】
0006341846.tif 000010
【図１０】
0006341846.tif 000011